(57)【要約】      （修正有）【課題】本発明は、工期短縮が可能で低振動・低騒音の杭頭処理工法を提供である。【解決手段】有底筒状で、開閉自在な底板に連結された開閉操作棒を有してなる余盛り処理バケット１を用意し、掘削した孔２１の底浚いをして鉄筋籠２２を投入し、トレミー管でコンクリート２３を打設した後、コンクリートが硬化する前に、杭頭部の鉄筋籠内に前記余盛り処理バケット１を投入し、スライムを含むコンクリートを余盛り処理バケット１内に取り入れ、開閉操作棒で底板を閉じて、杭頭部から余盛り処理バケット１を取り出し、余盛り処理バケットをコンクリート用コンテナ２５に移動させて、スライムを含むコンクリート２３ａを排出し、コンクリート用コンテナ２５のスライムを含むコンクリート２３ａが取り扱いができるように処理して、前記杭頭における余盛りコンクリートの残りを設計レベルに合わせて、はつり工事により処理する杭頭部のコンクリート処理方法である。【選択図】図５
2007291632.tif 000002
【特許請求の範囲】
【請求項１】
場所打ちコンクリート杭における余盛りコンクリートの杭頭部のコンクリート処理方法において、
有低筒状で、底板の一部が開閉自在になされ、この開閉自在な底板に連結され上部に一端側が伸ばされた開閉操作棒を有してなる余盛り処理バケットを用意し、
掘削した孔の底浚いをして鉄筋籠を投入しトレミー管でコンクリートを打設した後に、
前記打設したコンクリートが硬化する前に前記余盛り処理バケットを杭頭部の鉄筋籠内に揚重機で投入し、
前記余盛り処理バケットの開閉自在な底板を開閉操作棒で開けて前記硬化前のスライムを含むコンクリートを所要高さ分だけ余盛り処理バケット内に取り入れ、
前記開閉操作棒で前記開閉自在な底板を閉じて前記杭頭部から前記余盛り処理バケットを取り出し、
前記余盛り処理バケットをコンクリート用コンテナに移動させて前記スライムを含むコンクリートを排出し、
コンクリート用コンテナの前記スライムを含むコンクリートが取り扱いができるように処理して、
前記杭頭における余盛りコンクリートの残りを設計レベルに合わせてはつり工事により処理すること、
を特徴とする杭頭部のコンクリート処理方法。
【請求項２】
余盛り処理バケットには揚重機で吊持するための吊持棒が取り付けられており、この吊持棒を介して余盛り処理バケットを所定方向に回転させることで、開閉自在な底板を開くことで形成されるバケット底部の孔から内部にコンクリートを取り入れること、
を特徴とする請求項１に記載の杭頭部のコンクリート処理方法。
【請求項３】
吊持棒には、余盛り処理バケットの底面の位置からの距離を示す目盛りが設けられていること、
を特徴とする請求項２に記載の杭頭部のコンクリート処理方法。
【発明の詳細な説明】
【技術分野】
【０００１】
本発明は、地盤を掘削しコンクリートを打設して場所打ちにて形成するコンクリート杭における、杭頭部のコンクリート処理方法に関するものである。
【背景技術】
【０００２】
従来、建築物の構築に際して、地中に場所打ちされるコンクリート杭を形成する場合、図８に示すように、アースドリル工法若しくはリバース杭工法等により、地盤を回転バケットで掘削し、ケーシングやベントナイト液で孔の崩壊を防ぎ、底浚いをして鉄筋籠を前記孔に入れ、トレミー管を入れてスライム処理し、その後、図９に示すように、コンクリートを打設しながら前記トレミー管を引き上げて、コンクリート杭を構築することが知られている。
【０００３】
前記コンクリート杭の頭部は、図９（Ｂ）に示すように、余盛りコンクリートが形成される。当該余盛りコンクリートは、掘削した孔に泥水を満たした状態で更に掘削し、泥水中に浮遊した細粒土分が底部に沈殿してスライムとなり、これを底払いして鉄筋籠を入れた後にコンクリートを打設した場合でも、コンクリート天端面に泥水中に浮遊しているスライムが溜まるので、必要な強度を確保するため設計杭頭レベルよりも５０〜１００ｃｍ余分に形成されたものである。
【０００４】
前記余盛りコンクリート部分をコンクリートの硬化後に除去するには、従来からエアーブレーカー等を用いて破砕している。このはつり作業は、根切り工事の完了後に、前記エアーブレーカーで前記余盛りコンクリート部分を破砕し、主鉄筋を露出させ、前記杭頭を所定の設計レベルに整えるものである。このはつり作業の他、静的破砕材による杭頭処理も行われている。また、前記コンクリートが硬化する前にスライムを含む前記余盛りコンクリート部分をバキュームポンプによって吸い上げて除去する方法も知られている（特許文献１参照）。
【特許文献１】特開平７−１１６３２号公報
【発明の開示】
【発明が解決しようとする課題】
【０００５】
しかし、従来の杭頭部のコンクリート処理方法において、例えば、エアーブレーカー等でコンクリート硬化後にはつる工法では、大きな騒音が発生して近隣住民の騒音問題となってしまう。更に、破砕時に粉塵をまき散らして作業員の健康にも悪影響を及ぼす。また、静的破砕材による工法では、その準備に手間が掛かると共に、破砕作用の広がりをコントロールすることが困難であり、時間も掛かる。
【０００６】
一方、コンクリート硬化前にバキュームポンプ等でコンクリートを吸い上げるのは、コンクリートの洗浄等の後処理に手間が掛かり、バキューム装置が大掛かりとなってコストも嵩み、硬化していないスライム混じりのコンクリートを受け入れるところは少ない。本発明に係る杭頭部のコンクリート処理方法は、このような課題を解決するために提案されたものである。
【課題を解決するための手段】
【０００７】
本発明に係る杭頭部のコンクリート処理方法の上記課題を解決して目的を達成するための要旨は、場所打ちコンクリート杭における余盛りコンクリートの杭頭部のコンクリート処理方法において、有低筒状で、底板の一部が開閉自在になされ、この開閉自在な底板に連結され上部に一端側が伸ばされた開閉操作棒を有してなる余盛り処理バケットを用意し、掘削した孔の底浚いをして鉄筋籠を投入しトレミー管でコンクリートを打設した後に、前記打設したコンクリートが硬化する前に前記余盛り処理バケットを杭頭部の鉄筋籠内に揚重機で投入し、前記余盛り処理バケットの開閉自在な底板を開閉操作棒で開けて前記硬化前のスライムを含むコンクリートを所要高さ分だけ余盛り処理バケット内に取り入れ、前記開閉操作棒で前記開閉自在な底板を閉じて前記杭頭部から前記余盛り処理バケットを取り出し、前記余盛り処理バケットをコンクリート用コンテナに移動させて前記スライムを含むコンクリートを排出し、コンクリート用コンテナの前記スライムを含むコンクリートが取り扱いができるように処理して、前記杭頭における余盛りコンクリートの残りを設計レベルに合わせてはつり工事により処理することである。
【０００８】
前記余盛り処理バケットには揚重機で吊持するための吊持棒が取り付けられており、この吊持棒を介して余盛り処理バケットを所定方向に回転させることで、開閉自在な底板を開くことで形成されるバケット底部の孔から内部にコンクリートを取り入れること、；
前記吊持棒には、余盛り処理バケットの底面の位置からの距離を示す目盛りが設けられていること、；
を含むものである。
【発明の効果】
【０００９】
本発明の杭頭部のコンクリート処理方法によれば、杭頭部の余盛りコンクリートが硬化する前に余盛り処理バケットで取り出してしまうので、余盛り部分の略９割方が容易に処理される。また、時間も掛からずコストも低減される。従来の処理方法の課題である騒音が解消される。また、コンクリート用コンテナのコンクリートは、例えば、取り扱いやすいように硬化してから搬送するので、容易に処理できる。
【００１０】
余盛り処理バケットの吊持棒で回転させながらコンクリートをバケット内部に取り入れるので、単にバケットを上から下に押し付けてコンクリートをバケット内部に取り入れるよりも、軽負荷で容易に作業ができる。
【００１１】
また、この吊持棒にバケット底からの距離を示す目盛りが設けられているので、杭頭部に余盛り処理バケットを沈めたときに、前記目盛りで確認しながら余盛り処理バケットを慎重に沈めて、設計レベルに対して、前記余盛り処理バケットの底の位置が約１０〜１５ｃｍ程度上位置になるように、精度を高めて制御することができる。  
【発明を実施するための最良の形態】
【００１２】
本発明に係る杭頭部のコンクリート処理方法は、図１に示すように、特殊な余盛り処理バケット１を形成する。この余盛り処理バケット１は、有低筒状で、円筒体１ａの底板１ｂの一部であるが、例えば、蝶番２によって開閉自在になされ、この開閉自在な底板１ｃに連結され上部に一端側が伸ばされた二重管棒の開閉操作棒３を有してなる。前記開閉自在な底板１ｃは、図４に示すように、前記開閉操作棒３に係止され、該開閉操作棒３ａが下降することで水平状態から小さい角度θ1で開く底板８ａ，９ａと、開閉操作棒３ｂによって大きな角度θ2で開く底板８ｂ，９ｂとで構成されている。
【００１３】
前記開閉操作棒３は、円筒体１ａに十字状に蓋される蓋部材４により支持され、この両開閉操作棒３，３に架設された吊上げ板６が設けられている。この吊上げ板６の中央部に、金属製の剛性な吊持棒５が取り付けられている。前記吊上げ板６を持ち上げると、前記開閉操作棒３を介して底板１ｂと開閉自在な底板１ｃとにより、余盛り処理バケット１が持ち上がる。
【００１４】
前記吊持棒５の下部５ａは、前記吊上げ板６の下にあり、この下部５ａより上部分に細い首部５ｂがあって、それが前記吊上げ板６を貫通している。そして、この首部５ｂにコイルバネ７が嵌装されている。この首部５ｂの上に着脱自在な連結部５ｃがあり、更にその上の本体部５ｄに連結されている。この本体部５ｄは、揚重機等の回転棒に連結されるものである。また、前記本体部５ｄには、図１に示すように、バケット底部からの距離ａを示す目盛り５ｅが設けられている。
【００１５】
前記コイルバネ７と、前記連結部５ｃとの首部５ｂにおける関係は、吊持棒５を持ち上げて余盛り処理バケット１を持ち上げる際に、下部５ａの上面が吊上げ板６に当接しており、余盛り処理バケット１をコンクリート中に押し込む際には、連結部５ｃの下端部がコイルバネ７をその付勢力に抗して押し込むようになっている。
【００１６】
前記余盛り処理バケット１の底部は、図３乃至図４に示すように、円筒体１ａの底部に架設された蝶番２により、下に開閉するようになっている。前記二重管棒の開閉操作棒３を、例えば、９０°程度正回転させると、吊上げ板６との係止状態が外れて挿通孔から下に落ち込み、開閉自在な底板１ｃが閉状態から開状態になる。
【００１７】
また、この底板１ｂ，１ｃのうち、水平面に対する下方向への回転角度θは、底板８ａ，９ａは、コンクリートをバケット内に取り入れる時には開かず、コンクリート排出の時には小さく回動して開き、一方、底板８ｂ，９ｂは、コンクリートをバケット内に取り入れる時には小さく開き、コンクリート排出の時には大きく回動して開く。
【００１８】
このようにすることで、円筒体１ａを所定方向に回転させると、コンクリートが余盛り処理バケット１内部に取り込まれるものである。底板１ｂ，１ｃの開閉機構に関して、上記実施例は一例でありこれに限定されることなく、円筒体１ａの底部の略半分の面積が開くようにしても良い。
【００１９】
このようにして形成された余盛り処理バケット１を使用して、本発明に係る杭頭部のコンクリート処理方法について説明する。前記余盛り処理バケット１を予め用意しておき、従来例と同様に、図８（Ａ），（Ｂ）に示すように、地盤２０に掘削した孔２１の底浚いをして鉄筋籠２２を投入してトレミー管でコンクリートを打設する。その後、図５に示すように、前記打設したコンクリート２３及びスライムを含むコンクリート２３ａが硬化する前に、前記余盛り処理バケット１を揚重機（図示せず）で吊り上げて、杭頭部の鉄筋籠２２内に揚重機で投入する。
【００２０】
そして、図６（Ａ）に示すように、前記余盛り処理バケット１の底を、開閉操作棒３を回して係止解除して開閉操作棒３ｂを下に落とす。それにより、底板８ｂと、底板９ｂとが下に開く。更に、吊持棒５を図中の矢印方向に回転させる。これにより、余盛り処理バケット１も同時に同方向に回転する。
【００２１】
前記余盛り処理バケット１の回転により、前記底板８ｂ，９ｂがあたかもスクリューのように働き、スライムを含むコンクリート２３ａに前記余盛り処理バケット１が食い込んでいき、前記コンクリート２３ａが余盛り処理バケット１内に、所要高さ分だけ取り入れられる。この高さは、設計のレベルより多少上の位置、例えば、１０〜１５ｃｍ程度とする。この確認は、吊持棒５に設けられた目盛り５ｅで確認する（図５中図参照）。
【００２２】
次に、図６（Ｂ）に示すように、前記開閉操作棒３ｂ，３ｂで前記開閉自在な底板８ｂ，９ｂを閉じて、前記杭頭部から前記余盛り処理バケット１を掘削機等の揚重機で取り出す。その後、前記余盛り処理バケット１をコンクリート用コンテナ２５（図５中参照）に移動させてから、同図６（Ｃ）に示すように、開閉操作棒３ａによって底板８ａ，９ａを小さな角度で開け、開閉操作棒３ｂによって底板８ｂ，９ｂを大きな角度で開け、前記スライムを含むコンクリート２３ａを前記コンテナ２５に排出する。
【００２３】
コンクリート用コンテナ２５の前記スライムを含むコンクリート２３ａが、取り扱いができるように硬化した時点で、これを場外に排出する。一方、図７に示すように、前記杭頭部における余盛りコンクリート２４の残りを設計レベルに合わせてはつり工事により処理する。このようにすることで、硬化前のスライムを含むコンクリート２３ａを余盛り処理バケット１で容易に取り出し、はつり工事を極力少なくすることができる。それにより、はつり工事の騒音問題を解消することができる。また、作業者もはつり工事の粉塵を吸い込むことが無くなるばかりでなく、杭頭部のコンクリート２３ａの処理も工期短縮される。
【図面の簡単な説明】
【００２４】
【図１】本発明に係る杭頭部のコンクリート処理方法における、余盛り処理バケット１の構造を示す正面図である。
【図２】同余盛り処理バケット１の平面図である。
【図３】同余盛り処理バケット１の底面図である。
【図４】同余盛り処理バケット１における底板８ａ〜９ｂの概略構成を示す斜視図（Ａ）と側面図（Ｂ）とである。
【図５】同本発明に係る杭頭部のコンクリート処理方法を説明する説明図である。
【図６】同本発明に係る杭頭部のコンクリート処理方法において、余盛り処理バケット１にコンクリート２３ａを取り入れ様子を説明する説明図（Ａ），（Ｂ），（Ｃ）である。
【図７】同本発明に係る杭頭部のコンクリート処理方法を説明する説明図である。
【図８】従来例における杭頭部のコンクリート処理に係り、地盤２０に孔２１をバケットで掘削している様子を示す説明図（Ａ）と、鉄筋籠２２を孔２１に入れる様子を示す説明図（Ｂ）とである。
【図９】同従来例における杭頭部のコンクリート処理に係る説明図（Ａ），（Ｂ）である。
【符号の説明】
【００２５】
１          余盛り処理バケット、          １ａ        円筒体、
１ｂ        底板、                        １ｃ        開閉自在な底板、
２          蝶番、
３，３ａ，３ｂ          開閉操作棒、
４          蓋部材、
５          吊持棒、                      ５ａ        下部、
５ｂ        首部、                        ５ｃ        連結部、  
５ｄ        本体部、                      ５ｅ        目盛り、
６          吊上げ板、
７          コイルバネ、
８ａ，９ａ，            小さく開閉する底板、
８ｂ，９ｂ              大きく開閉する底板、
２０        地盤、
２１        孔、
２２        鉄筋籠、
２３        コンクリート、            ２３ａ    スライムを含むコンクリート、
２４        余盛りコンクリート、
２５        コンテナ。
【図１】
2007291632.tif 000003
【図２】
2007291632.tif 000004
【図３】
2007291632.tif 000005
【図４】
2007291632.tif 000006
【図５】
2007291632.tif 000007
【図６】
2007291632.tif 000008
【図７】
2007291632.tif 000009
【図８】
2007291632.tif 000010
【図９】
2007291632.tif 000011